(57)【要約】【課題】今までの遮音材は、満足できるほどの遮音効果をもたらすことができず、しかも、現場作業性の、相当の増加が不可避となるという問題があった。【解決手段】遮音複合材料として、木質平板材料の表裏両面に、ポリウレタンフォームシートを接着剤で貼り合せ、３層構造の複合材料組成物とする。【選択図】図１
2006200347.tif 000002
【特許請求の範囲】
【請求項１】
木質平板と、該木質平板の表裏両面の全面に貼り付けたポリウレタンフォームシートとからなる３層構造の床遮音複合材。
【請求項２】
木質平板が、パーティクルボードであることを特徴とする請求項１記載の床遮音複合材。
【請求項３】
木質平板の表面に貼り付けたポリウレタンフォームシートがスラブフォームのシートであり、裏面に貼り付けたポリウレタンフォームシートが軟質ポリウレタンフォームチップ集合体のシートであることを特徴とする請求項１または２に記載の床遮音複合材。
【請求項４】
床下地材と床仕上げ材との間に、木質平板とその表裏両面の全面に貼り付けたポリウレタンフォームシートとからなる３層構造の床遮音複合材を配置した、遮音床構造。
【発明の詳細な説明】
【技術分野】
【０００１】  この発明は、種々の騒音の伝播を防止することができる床遮音複合材に関するものである。
【背景技術】
【０００２】  近年、住宅において、木質系床材が多く用いられているが、木質系床材を用いた場合、鉛筆や箸、スプーンなどの生活小物を落したり、椅子を動かしたりした時に生じる軽量衝撃音、他に子供が飛び跳ねして生じる重量衝撃音が問題となっている。特に２階建以上の一戸建、アパート及びマンション等の建物にあっては、上の階から下の階へ音が伝わり易いことがよく知られている。【０００３】そこで、上記問題を解決すべく、床下地材の上に制振遮音材を敷設して階下への衝撃音の伝播を防止している。【０００４】  木質系床材から発生する衝撃音に有効な制振遮音材としては、鉛シート、石膏ボード、合板、アスファルト系制振遮音板、アスファルト系制振遮音板の表面に不織布が接着された複合材などが知られており広く使用されている。
【特許文献１】  特開２００１−９８７５１号公報
【発明の開示】
【発明が解決しようとする課題】
【０００５】  しかしながら、以上の技術によれば、満足できるほどの遮音効果をもたらすことができず、しかも、現場作業性の、相当の増加が不可避となるという問題があった。
そこで、この発明は、遮音効果が高く現場作業が容易な床遮音複合材を提供することを課題とする。
【課題を解決するための手段】
【０００６】  以上の課題を解決するために、本発明者らは鋭意研究を行った結果、木質平板の表裏両面にポリウレタンフォームシートを貼り合せた３層構造の複合材が、良好な遮音性能を有することを見いだした。
本発明は、木質平板と、該木質平板の表裏両面の全面に貼り付けたポリウレタンフォームシートとからなる３層構造の床遮音複合材である。
また、床下地材と床仕上げ材との間に、木質平板とその表裏両面の全面に貼り付けたポリウレタンフォームシートとからなる３層構造の床遮音複合材を配置した、遮音床構造である。
【発明の効果】
【０００７】  この遮音複合材を使用することによって、木質平板材料が中域及び高域での音を低減させ、表裏のウレタンフォームが低域での音を低減させ、軽量衝撃音及び重量衝撃音の遮音性能を、共に１０ｄｂ落すことが出来る。更に、工場生産ラインで複合材として製品化するので、現場では複合材をおくだけで遮音性能が良くなり、現場での労力を遥かに軽減することが出来る。【０００８】  この発明の効果を試験した結果を、表−１と表−２に示す。
「ＪＩＳ  Ａ  １４１８」に準じて、北海道立林産試験場指導で測定した。
【表１】
2006200347.tif 000003
【表２】
2006200347.tif 000004
この床遮音複合材を使用しなかった時と使用した時を比べた場合、軽量衝撃音Ｌ値が７３から６２へ、また重量衝撃音Ｌ値が７６から６６へ落ちている。【０００９】  この発明の長期荷重に対する沈み込みを試験した結果、壁際の書籍棚を想定した荷重（７００ｋｇ／ｍ２）、及び、部屋中央での遮音目地部に集中荷重（２０ｋｇ）を載せた場合において、１年経過後も、１ｍｍ未満の沈み込みしかない。
【発明を実施するための最良の形態】
【００１０】  この発明の床遮音複合材は、木質平板と、該木質平板の表裏両面の全面に貼り付けたポリウレタンフォームシートとからなる。木質平板としては合板、パーティクルボード、ＯＳＢ、ＭＤＦなどの板材が挙げられる。中でもパーティクルボードが、チップが不均一に存在していて遮音性の点で好ましい。  大きさは、幅９１０ｍｍ、長さ１８２０ｍｍが扱いやすく好ましい。厚みは剛性の面より２０ｍｍが好ましい。【００１１】  木質平板の表裏両面にはポリウレタンフォームシートが貼り合わされている。床施工に際して下側に位置する裏面側のポリウレタンフォームシートが主に、衝撃音を吸収、減衰して伝播を防止する遮音材として働く。この裏面側のポリウレタンフォームシートは、ポリウレタンフォームの小片相互をウレタン系接着剤等で結合したブロック体がらスライスしたフォームシートが好適に用いられる。このフォームシートは、フォーム小片相互の結合界面に接着剤の高密度層が不均一に存在しているフォームである。密度は４０〜１００ｋｇ／ｍ３、厚さ５〜４０ｍｍが好ましい。【００１２】  木質平板の表面に貼り合わされたポリウレタンフォームシートは、歩行感を高める。厚みが厚すぎると床面に載置された重量物により沈み込みが生じる虞があり、薄すぎると緩衝効果が劣り、また軋み音が発生する虞がある。厚さ３〜５ｍｍ程度が好ましい。密度は１３〜６０ｋｇ／ｍ３が好ましい。このフォームは木質平板の裏面に貼るフォームシートと同じフォームであっても、熱プレスして密度を高めたプレスウレタンフォームシートでも良い。スラブ発泡したブロックをスライスしたポリウレタンフォームシートが扱い易く最も好ましい。【００１３】  ポリウレタンフォームシートを木質平板に貼り合わせる接着剤としては、アクリル系、ウレタン系、エポキシ系、ゴム系など有機溶剤系、水系、ホットメルト系を問わずウレタンフォームを接着する接着剤であればいずれも使用できる。【００１４】  床遮音複合材の施工を説明する。まず、パーティクルボードや構造用合板などの床下地材上に釘止め、タッカー止めなどで固定することなく、単に敷き並べる。この際に固定するとウレタンフォームの荷重分散効果が薄れ、載荷重を固定部で支える結果となって、この部位で軋み音が発生する虞がある。この床遮音複合材の上に床仕上げ材を相互に連結して敷設する。床遮音複合材の表面側ポリウレタンフォームシートと床仕上げ材との間に、パーティクルボード、ベニア合板などの木質平板（捨て板）を介在させても良い。【００１５】  この発明の一実施形態を、図１に示す。
図１は、実施例の側面図である。三層で構成されていて、符号１の一層目はポリウレタンフォームシート４ｍｍ、符号３の二層目はパーティクルボード２０ｍｍ、符号４の三層目はポリウレタンフォームシート２０ｍｍであり、一層目と二層目及び二層目と三層目は、符号２の接着剤で貼り合わさっている。【００１６】  今回使用した接着剤の一般名は、アクリル共重合体等であり、これが最も望ましいがこれに限ったものではない。【００１７】「他の実施形態」
図１の実施形態では、木質材料はパーティクルボードであり、これが最も望ましいが、他の実施形態では、他の木質材料のものでも良い。【００１８】  図１の実施形態では、一層目はポリウレタンフォームシート４ｍｍ、二層目はパーティクルボード２０ｍｍ、三層目はポリウレタンフォームシート２０ｍｍであり、これが最も望ましいが、他の実施形態では、パーティクルボード及びウレタンフォームは、別の厚さのものでも良い。
【図面の簡単な説明】
【００１９】
【図１】この発明の一実施形態を示す側面図である。
【符号の説明】
【００２０】１  ポリウレタンフォームシート  ４ｍｍ
２  接着剤
３  パーティクルボード  ２０ｍｍ
４  ポリウレタンフォームシート  ２０ｍｍ
【図１】
2006200347.tif 000005